(57)【要約】【課題】    判読性に優れ、作業効率を向上させる透光性部材を備えた表示装置を提供する。【解決手段】  表示装置１は、透光性材料からなり回動軸８ａを中心に回動する指示部２ａを備える指針２と、前記指針２の背後に設けられる平坦面を備える仕切り壁（部材）５と、前記部材５の平坦面の背後に接触するように設けられ識別部９をその裏側に備えた導光体（透光性部材）４と、を備え、前記識別部９における識別記号９ａを左右を反転させた識別記号９ａとしたものである。【選択図】図３
2006010419.tif 000002
【特許請求の範囲】
【請求項１】
透光性材料からなり識別部を有する透光性部材を備えた表示装置であって、
前記識別部を左右の反転した識別記号としたことを特徴とする表示装置。
【請求項２】
前記表示装置は、
透光性材料からなり回動軸を中心に回動する指示部を備える指針と、
前記指針の背後に設けられる平坦面を備える部材と、
前記部材の前記平坦面の背後に接触するように設けられ前記識別部を裏側に備えた透光性部材と、
を有することを特徴とする請求項１に記載の表示装置。
【請求項３】
前記透光性部材は、文字や目盛り等の指標を備える表示板であることを特徴とする請求項１に記載の表示装置。
【請求項４】
前記透光性部材は、前記指針もしくは前記部材に光を導く導光体であることを特徴とする請求項１に記載の表示装置。
【請求項５】
前記識別記号を凸形状としたことを特徴とする請求項１に記載の表示装置。
【発明の詳細な説明】
【技術分野】
【０００１】
本発明は、透光性部材を備えた表示装置に関するものである。
【背景技術】
【０００２】
この種の表示装置として、特許文献１に開示されるような車両用指針式表示装置が知られている。この表示装置は、透光性部材からなる指針と、指針を回動支持する回動軸と、前記回動軸を備え指針を駆動する本体と、指針の背後に設けられ目盛り等の指標を有する表示板と、前記表示板の背後に設けられ光源からの光を前記指針や前記表示板に導く導光体と、からなる。
【特許文献１】特開平７−２１８２９６号公報
【０００３】
表示装置は、車速計，回転計，燃料計といった複数の車両情報を表示する計器を備えるものが知られており、各計器に対応した複数の構成部品からなる。これらの構成部品は、似た形状のものが多く用いられている。そのため、各々の部品には、機種，製造番号，製造年月日等の記号が付され、識別される。例えば、図４及び図５に示すように、車速計に用いる導光体４１には、観察者から見て裏側に識別記号９１ａとしてＳＰを凸形状にて付すことで、どの計器の導光体であるかわかるようになっている。
【発明の開示】
【発明が解決しようとする課題】
【０００４】
以上のような表示装置は、配設位置が観察者から見て裏側（下側）の構成部品から、順に重ねられて組み付けられ、例えば、回路基板上に、本体，導光体４１，表示板，指針が組み付けられる。構成部品の組み付け作業は、観察者から見て構成部品の裏側を下にして、表側を上にした状態で行われる。その際に構成部品の識別記号９１ａは、表側から確認される。例えば、図５に記載のように、識別記号９１ａは透光性材料からなる導光体４１の裏側に設けられるため、裏側に付された識別記号９１ａは、組み付け時や組み付け後に表側から透かして見ると、左右の反転した記号（鏡文字）となるため（図４参照）、判読性が低く、誤組みが発生したり、裏側からの確認作業が必要となったりと、作業効率の低下をまねく虞がある。
【０００５】
また、透光性部品の表側に識別記号９１ａを付す方法もあるが、表側に平板部材が配設される構造の場合には、凸形状の識別記号９１ａによって、透光性部品の表側が平坦とならないため、平板部材が水平に設置されず、安定性が悪い。
【０００６】
そのため、識別記号９１ａを凸形状ではなく、凹で形成する製造方法が考えられるが、凸形状の識別記号９１ａを形成する製造方法と比較すると、識別記号９１ａ部分を削り残した金型を用いなければならず、金型加工費が高くかかってしまう。
【０００７】
また、構成部品の表面にある程度の面積で所定の深さの凹部を形成し、その凹部の中に凸形状の識別記号９１ａを設けることで、表面に出っ張りをなくす方法もあるが、上記方法と同様に、金型加工費がかかるという問題がある。  
【０００８】
本発明は、この問題に鑑みなされたものであり、判読性に優れ、作業効率を向上させる表示装置を提供するものである。
【課題を解決するための手段】
【０００９】
本発明は、前述した課題を解決するため、透光性材料からなり識別部を有する透光性部材を備えた表示装置であって、前記識別部を左右の反転した識別記号とした。
【００１０】
また、請求項２に記載のように、前記表示装置は、透光性材料からなり回動軸を中心に回動する指示部を備える指針と、前記指針の背後に設けられる平坦面を備える部材と、前記部材の前記平坦面の背後に接触するように設けられ前記識別部を裏側に備えた透光性部材と、を有する。
【００１１】
また、請求項３に記載のように、前記透光性部材は、文字や目盛り等の指標を備える表示板である。
【００１２】
また、請求項４に記載のように、前記透光性部材は、前記指針もしくは前記部材に光を導く導光体である。
【００１３】
また、請求項５に記載のように、前記識別記号を凸形状とした。
【発明の効果】
【００１４】
本発明は、識別記号を備える透光性部材に関し、判読性に優れ、作業効率を向上させる表示装置を提供することができる。
【発明を実施するための最良の形態】
【００１５】
以下、添付図面に基づいて、本発明の実施形態を説明する。
【００１６】
図１は、本発明の実施形態を示す断面図である。図２は、本実施形態における導光体４を表側からとらえた図（正面図）である。図３は、本実施形態における導光体４を裏側からとらえた図（裏面図）である。
【００１７】
表示装置１は、指針２と、表示板３と、導光体（透光性部材）４と、仕切り壁（部材）５と、回路基板６と、光源７と、本体８と、からなる。
【００１８】
指針２は、透光性材料からなり、指針２を駆動する本体８から伸びる回動軸８ａを中心に回動する指示部２ａと、前記指示部２ａの回動中心領域を覆う遮光性材料からなる被覆部２ｂとを備える。指示部２ａは、光源７からの光を受け、発光指示するものである。
【００１９】
表示板３は、平板部材からなり、透光性インクで印刷された目盛りや記号等の指標部を除いて遮光性の暗色インクで印刷されてなる。表示板３は、指標部が背後から透過照明される構造をもつ。
【００２０】
仕切り壁５は、遮光性の合成樹脂材料からなり、壁部５ａと、天井部５ｂと、によって光源７を取り囲んでいる。壁部５ａは、光源７の照明領域を区画するように円筒形となっている。天井部５ｂは、壁部５ａの表側に設けられ、円盤形状となっており、中央には、回動軸８ａと筒部４ｂが貫通するように円形の開口部５ｃが形成されている。天井部５ｂの表側には、表示板３が配置される。回路基板６は、ガラスエポキシ樹脂などからなる硬質の回路基板６であり、発光ダイオード等の光源７を３つ備える。本体８は、交差コイル式計器本体やステッピングモータなどからなり、本発明の実施形態では、回路基板６の裏側に固定されている。
【００２１】
導光体４は、アクリルやポリカーボネート等の透光性樹脂材料からなり、成型によって形成されてなる。導光体４は、脚部４ａと、筒部４ｂと、受光部４ｃと、連結部４ｄと、を有する。脚部４ａは、円弧形状であり、回路基板６方向に伸びるように設けられる。脚部４ａは、その先端を回路基板６に備えられる孔部６ａに差し込むことで、導光体４を支持する。脚部４ａが円弧形状となっているのは、前記先端の差し込みを制限し、また、回路基板６に当接する面積を大きくすることで安定して導光体４を支持するためである。筒部４ｂは光源７からの光を指針２に導くものであり、円筒形状となっている。受光部４ｃは、光源７の光を受け、筒部４ｂに伝えるものである。受光部４ｃは、筒部４ｂから３つに分割され、回路基板６上に３つ設けられた光源７に対応して伸びるように設けられる。連結部４ｄは、脚部４ａと筒部４ｂとを連結させるものである。連結部４ｄは、平板状で回路基板６と平行になっている。連結部４ｄの表側には、仕切り壁５の天井部５ｂが配置される。連結部４ｄの裏側には、識別部９が設けられる。
【００２２】
識別部９は、識別記号９ａからなる。識別記号９ａは、成型時に設けられ、凸形状の左右の反転した記号（鏡文字）で表される。導光体４は、透光性材料からなり、裏側に設けられた識別記号９ａを観察者Ｏが表側から透かして見ることが可能であり、通常の正しい文字（記号）で読み取れるものである。また、確認する際に識別記号９ａが上下左右正しく読むことが可能な状態にあることで、導光体４が正しい組み付け向きであることがわかる。図２及び図３に開示する導光体４は、速度計に設けられるものであるため、識別記号９ａは、アルファベットのＳＰで表され、図２に示すように表側から瞬時に正しく読み取ることができ、誤組みを防ぎ、作業効率を向上させるものである。
【００２３】
導光体４は、表示装置１に備えられ、連結部４ｄの表側が平担な面であることで、導光体４上に設けられる平坦面を備える表示板３等の部材を水平に設置することができる。また、裏側に設けた識別記号９ａをより鮮明に透かして見ることができる。
【００２４】
また、多くの構成部品からなる表示装置１において、識別部９を備える表示板３や導光体４等の透光性部材を用いることで、組み付け時及び組み付け後も裏側に設けられた識別記号９ａを透かして見て簡単に構成部品を確認できる。
【００２５】
また、識別記号９ａを凸形状とすることで、成型時に導光体４に識別記号９ａを形成して製造コストを抑えることが可能であり、また、凸形状とすることで金型加工費を抑えることができる。
【００２６】
なお、本発明の実施形態においては、透光性部材４を表示装置１の導光体４としたが、請求項１に係る本発明においては、構成部品を組み付けてなるあらゆる表示装置に用いられる透光性部材４において有効である。例えば、表示装置１の表示面前面に配設されるカバー，指針２や表示板３等でもよく、透光性材料からなる透光性部材４であれば任意である。
【００２７】
また、本発明の実施形態においては、導光体４上に部材として仕切り壁５を配置したが、請求項２に係る本発明においては、部材は、表示板３でもよく、平坦な面を有する部材であれば任意である。
【００２８】
また、透光性部材４は、透明でも半透明でもよく、識別記号９ａを透かして見ることができれば、その光透過率は任意である。
【００２９】
また、本発明の実施形態においては、識別記号９ａにアルファベットを用いたが、文字，数字，図案などのマークでもよく、その組み合わせも任意である。例えば、回転計の導光体４であれば、識別記号９ａにＴＡを用いることが考えられる。
【図面の簡単な説明】
【００３０】
【図１】本発明の実施形態を示す断面図。
【図２】同上実施形態の正面図。
【図３】同上実施形態の裏面図。
【図４】従来例の正面図。
【図５】従来例の裏面図。
【符号の説明】
【００３１】
１  表示装置
２  指針
３  表示板
４  導光体（透光性部材）
５  仕切り壁（部材）
９ａ  識別記号
【図１】
2006010419.tif 000003
【図２】
2006010419.tif 000004
【図３】
2006010419.tif 000005
【図４】
2006010419.tif 000006
【図５】
2006010419.tif 000007